(57)【要約】【課題】本考案は紫外線マルチ機能殺菌機に関するものである。【解決手段】本体(body)一を有しその本体にはさらに六つの面が含まれ、その中の一つの面はドア(door)１１６となっており、内部には本体内に配置され、収納スペース１１４よりも体積の小さな物品を収納するのに用いる収納スペース(inner space)１１４が一つある。また、内部の収納スペース１１４に収められた物品を消毒もしくは滅菌する消毒モジュール(sterilization module)が一つ、内部の収納スペース１１４と合わせて(coupled with)配置される。【選択図】図１
0003147521.tif 000002
【実用新案登録請求の範囲】
【請求項１】
紫外線マルチ機能殺菌機であって、構造は、
６つの面からなり、そのうち１つの面が扉である本体と、
内部収納スペースであって、前記本体内に配置されて体積が前記内部収納スペースより小さい物品を収納し、前記扉を開けることによって前記物品を前記内部収納スペース内に納置するものと、
前記内部収納スペースと共に配置して、前記内部収納スペースに収納された前記物品を消毒若しくは滅菌する消毒モジュールとからなることを特徴とする紫外線マルチ機能殺菌機。
【請求項２】
前記消毒モジュールは蒸気消毒モジュールを含み、前記蒸気消毒モジュールは前記内部収納スペース内の空気を加熱することによって蒸気を生じさせ、前記内部収納スペース内の前記物品を消毒殺菌するように配置したことを特徴とする請求項１に記載する紫外線マルチ機能殺菌機。
【請求項３】
前記消毒モジュールは紫外線（ＵＶ）滅菌モジュールを含み、前記紫外線滅菌モジュールは前記内部収納スペース内に紫外線を照射することによって、前記内部収納スペース内の前記物品を消毒殺菌するように配置したことを特徴とする請求項１に記載する紫外線マルチ機能殺菌機。
【考案の詳細な説明】
【技術分野】
【０００１】
本考案は、消毒と収納の機能を備えた構造で、更には紫外線マルチ機能殺菌機である。
【背景技術】
【０００２】
日常生活において人々は宝石、ネックレス、イヤリング或いはその他アクセサリー、または腕時計などの貴重品、食物、各種用具、カメラの本体、レンズや撮影器材などの装備や電子装置、３Ｃ(家電・情報製品・通信機器)製品などを収納するニーズがある。
【考案の開示】
【考案が解決しようとする課題】
【０００３】
その中でも個人の物品、食物、用具、装備などは定期的に殺菌消毒する必要があるか、特定の温度または湿度をコントロールできる環境の中に保存しておく事が必要となる。そこで、消毒機能、温度と湿度のコントロール機能を兼ね備えた保存装置で、それらの物品を保存したり、便利に消毒を行うことが必要となる可能性がある。更には、上述の機能を同時に行える消毒保存ボックスによってそれらのニーズを満たすことが必要となる可能性がある。
【０００４】
本考案は使用者とその個人の物品、食物、各種用具、装備に対して消毒と保存を行う紫外線マルチ機能殺菌機として上述の目的を達成するものである。
【課題を解決するための手段】
【０００５】
本考案の一範例は紫外線マルチ機能殺菌機の一種であり、本体(body)一が含まれる。その本体には六つの面が含まれ、その中の一つの面はドア(door)となっており、内部には本体内に配置され、収納スペースよりも体積の小さな物品を収納するのに用いる収納スペース(inner space)が一つある。また、内部の収納スペースに収められた物品を消毒もしくは滅菌する消毒モジュール(sterilization module)が一つ、内部の収納スペースと合わせて(coupled with)配置される。
【考案の効果】
【０００６】
本考案のその他特徴と長所については後に述べる通りであり、また一部はその述べるところから、本考案の実施方法についても明らか且つ容易に習得が可能である。この他、本考案の特徴と長所は添付した実用新案登録請求の範囲において特に指摘される部品と組み合わせによって獲得、実現される。
【０００７】
理解されるべきは、前述の範例の記述とその後の実施方法の記述は例示的及び、説明上の必要としてのみであり、本考案が主張する実用新案登録請求の範囲に制限を加えるものではない。
【考案を実施するための最良の形態】
【０００８】
本考案の範例を詳細に参考し、それら範例を付随する図式中において説明する。可能な限り、全ての図式における同様な参考番号は同様であるか、類似する部分を示す。
【０００９】
図１は本考案の範例の一つである紫外線マルチ機能殺菌機１００の全体説明図である。紫外線マルチ機能殺菌機１００は本体一が含まれる。本体には天井面１０２、第一面１０４、底面１０６、第二面１０８、第三面１１０と第四面１１２が含まれる。その中に内部収納スペース一を備え、かつ内部収納スペース１１４と組合わせて使用する消毒モジュールを有する。ドア一１１６となる第一面は、範例において、ドア１１６には取っ手１１８が具わっている。本体内には内部収納スペース１１４より小さい物品を収納する内部収納スペース１１４が配置でき、取っ手１１８によってドア１１６を開け、物品を内部収納スペース１１４中へ入れることができる。消毒モジュールは内部収納スペース１１４と組合わせて配置され、内部収納スペース１１４に収納された物品を消毒または滅菌する。
【００１０】
さらに、内部収納スペース１１４には異なるタイプの物品を収納する中間層１２０が一つ含まれる。中間層１２０は平台状、網状或いは柵状に製作または設計が可能である。中間層１２０には更にフック１２２が一つ含まれており、物品を掛けておくことができる。別の範例中では、内部収納スペース１１４には更に複数個の中間層１２０が含まれる。複数個の中間層１２０は平台状、網状、柵状に作成することができる。及び複数個の中間層１２０には更に複数個のフック１２２が含まれ、物品を掛ける事ができる。天井面１０２にはへこみ１０６一つが含まれている。へこみ１０６はへこみ１０６のスペースよりも体積の小さい物品を乗せるために製作されている。別の範例において天井面１０２には複数個のへこみ１０６が含まれる。
【００１１】
この他、ドア１１６は本体の底面１０６を除いた５つの面の一つに設置可能である事に注意されたい。ドア１１６は透明でも不透明でもよい。また、紫外線マルチ機能殺菌機１００の本体底面１０６には本体を支えるため、更に複数個の脚１３８が含まれる。また別の範例において、底面１０６には物置スペース（図説無し）が更に含まれる。その置物スペースには引き出せる置物ボックス或いは引出しが一つ含まれる。同業者は容易に理解できるが、その他の底面１０６に設置する物品を置く事が可能な構造もまた、本範例の実施方法とすることが可能である。
【００１２】
図２は本考案の範例の一つ、紫外線マルチ機能殺菌機１００の中間層１２０と１２４の分解図である。ドア１１６を開け、中間層１２０と１２４を本体より取り外して清掃や物品を載せるのに便利となっている。
【００１３】
図３は本考案の別の範例の一つである紫外線マルチ機能殺菌機１００の蒸気消毒モジュールの操作説明図である。蒸気消毒モジュールは、それを配置して内部収納スペース１１４中の空気を加熱して蒸気を発生させ、内部収納スペース１１４中の物品を消毒する。湿熱滅菌法による消毒殺菌の原理によって内部収納スペース１１４中の物品を殺菌消毒する。この他、本体の一面上(この範例中では第二面１０８となる)には、更に空気入り口１３４が一つ含まれ、空気を内部収納スペース１１４に進入させ、図４の加熱モジュール４０２によって加熱後、蒸気を発生させる。別途、本体の一面(この範例中の天井面１０２)上には、一部(at least part of)または全ての蒸気を排出する蒸気出口１３６が更に含まれる。本体には更に第一スイッチ１２６一つが含まれ、蒸気消毒モジュールを作動または停止しており、温度コントロールつまみ１３２一つによって、内部収納スペース中の温度が調節される。技術知識を習得している者であれば容易に、蒸気消毒モジュールが蒸気によって内部収納スペース１１４中の物品を加熱するか、或いは内部収納スペース１１４に収納されている物品の保温が可能とすることが理解できる。
【００１４】
図４は本考案の別の範例である紫外線マルチ機能殺菌機の蒸気消毒モジュールと冷凍消毒モジュールの操作説明図である。その消毒モジュールは冷凍消毒モジュール一つを含むもので、その冷凍消毒モジュールは冷凍装置４０４として配置し、内部収納スペース１１４中の温度を低下させて内部収納スペース１１４中の物品を消毒するものである。本体に更に含まれる第二スイッチ１２８によって冷凍消毒モジュールが作動或いは停止し、上述の温度コントロールつまみ１３２によって内部収納スペース１１４の温度を調整することによって温度管理と食物の鮮度保持を行う。技術知識を習得している者であれば、冷凍消毒モジュールが内部収納スペース１１４中の温度を低下させる事によって内部収納スペース１１４に収納されている物品の鮮度を保持または保存する事を容易に理解できるはずである。
【００１５】
図５は本考案におけるその他範例の紫外線マルチ機能殺菌機の紫外線消毒モジュールの操作説明図である。その消毒モジュールには紫外線滅菌モジュール５０２が一つ含まれる。紫外線消毒モジュール５０２は内部収納スペース１１４中に紫外線を照射することで内部収納スペース中の物品５０４の殺菌消毒が可能である。本体には更に第三スイッチ１３０が含まれ、紫外線消毒モジュール５０２の作動と停止を行う。
【００１６】
当業者は、本考案の広範な発明概念の状況下において上述の範例に対し変更を行うことが可能である事が理解できる。よって、本考案は示された特定範例に限らず、付随する実用新案登録請求の範囲に定められた本考案の精神及び範疇内において行われる修正を積極的に含むことが理解できる。
【００１７】
また、本考案の代表的な範例を記述する過程において、本願では本考案の方法及び/或いは過程の表示を特定のステップに従って配列した。従って、それらの方法或いは過程がここで提出された特定のステップに従わない状況下において、方法或いは過程は本文で記述された特定のステップに限らない。同業者は、その他の順序が可能である事が理解できる。そこで、本願において述べる特定の順序は実用新案登録請求の範囲の制限であると理解されてはならない。この他、本考案の方法及び/或いは過程の実用新案登録請求の範囲は記載されている順序によって執行されるものとは限らず、また同業者は本考案の精神及び範疇内において順序に変化を加える事が可能である事が容易に理解できる。
【００１８】
添付の例示性図式と合わせて閲覧すれば前文で述べるところの本考案の発明内容及び以下の実施方法がよりよく理解できる。本考案の目的を説明するために、図式中において現在比較的良好な実施範例を示してある。しかしながら、本考案はその示すところの精確な配置及び手段に限らないことが理解できる。
【図面の簡単な説明】
【００１９】
【図１】本考案の範例の一つである紫外線マルチ機能殺菌機の全体説明図である。
【図２】本考案の範例の一つである紫外線マルチ機能殺菌機の中間層分解図である。
【図３】本考案の別の範例である紫外線マルチ機能殺菌機の蒸気消毒モジュールの操作説明図である。
【図４】本考案のもう一つの範例である紫外線マルチ機能殺菌機の蒸気消毒モジュールと冷凍消毒モジュールの操作説明図である。
【図５】本考案のその他範例である紫外線マルチ機能殺菌機の紫外線消毒モジュールの操作説明図である。
【符号の説明】
【００２０】
１００  紫外線マルチ機能殺菌機
１０２  天井面
１０４  第一面
１０６  底面
１０８  第二面
１１０  第三面
１１２  第四面
１１４  内部収納スペース
１１６  ドア
１１８  取っ手
１２０  第一中間層
１２２  フック
１２４  第二中間層
１２６  第一スイッチ
１２８  第二スイッチ
１３０  第三スイッチ
１３２  温度コントロールつまみ
１３４  空気入り口
１３６  蒸気出口
１３８  脚
４０２  加熱装置
４０４  冷凍装置
５０２  紫外線消毒モジュール
５０４  物品
【図１】
0003147521.tif 000003
【図２】
0003147521.tif 000004
【図３】
0003147521.tif 000005
【図４】
0003147521.tif 000006
【図５】
0003147521.tif 000007